(57)【要約】【課題】水平面に沿って枠組みされた骨組の四隅部に夫々取り付けるコーナー補強金具に、壁面側筋交いも取り付けるようして、大規模地震に十分耐え得る耐震構造を簡単に施工できるようにする。【解決手段】前後の胴差し６，６と左右の胴差し７，７とが隅部の柱１を挟んで水平面に沿って枠組みされた水平面側骨組Ａの四隅部に夫々コーナー補強金具９を取り付け、この四隅部の対角線状に対向するコーナー補強金具９，９間に水平面側筋交い１０を水平に掛け渡して、各水平面側筋交い１０にターンバックル１１を設け、各コーナー補強金具９には、胴差し６，７及び柱１を含む壁面に沿って枠組みされた壁面側骨組Ｂの柱１，１間に掛張される壁面側筋交い１２，１３の一端部を取り付けるようにしてなる。【選択図】図２
2006169836.tif 000002
【特許請求の範囲】
【請求項１】
前後に配置する胴差しと左右に配置する胴差しとが柱を挟んで水平面に沿って枠組みされた水平面側骨組の四隅部に夫々コーナー補強金具を取り付け、この四隅部の対角線状に対向するコーナー補強金具間に水平面側筋交いを水平に掛け渡して、各水平面側筋交いにターンバックルを設けると共に、各コーナー補強金具には、前記胴差し及び柱を含む壁面に沿って枠組みされた壁面側骨組の柱間に掛張される壁面側筋交いの一端部を取り付けるようにしてなる木造建物の耐震構造。
【請求項２】
前記コーナー補強金具は、前記水平面側骨組の各隅部で互いに直交する胴差しの内側面に当接する直角側板と、この直角側板の上下両端部に夫々水平に配設される上下一対の三角形補強板と、直角側板の夫々側板部の下端から下方へ延設した側板延設部とからなり、直角側板を胴差しにボルト止めし、上下何れかの三角形補強板に水平面側筋交いの一端部をボルト止めし、側板延設部に壁面側筋交いの一端部をボルト止めするようにしてなる請求項１に記載の木造建物の耐震構造。
【請求項３】
前記コーナー補強金具には上部三角形補強板の直角側板側端部に、先端部に釘孔を有し且つ互いに直交する胴差しの上端面で支持される補強金具仮止め用突片を複数個取り付けてなる請求項２に記載の木造建物の耐震構造。
【発明の詳細な説明】
【技術分野】
【０００１】
本発明は、木造建物の耐震構造に関する。
【背景技術】
【０００２】
木造の建物を耐震構造とするのに、従来より、骨組のコーナー部に三角形の補強金具を取り付けたり、また前後に対向する一対の柱と梁材等の横材とで枠組みされる壁面側の骨組に筋交いを設ける方法が行なわれているが、このような方法だけでは、例えば震度５以上の大規模地震発生時に、特に横揺れに対して弱く、建物の倒壊を防ぐことができない。そこで、本願発明の発明者は、以前に、特許文献１に記載のような耐震構造を提案した。これは、前後に配置する胴差しと左右に配置する胴差しとが隅部の柱を挟んで水平面に沿って枠組みされた水平面側骨組の四隅部に夫々コーナー補強金具を取り付け、この四隅部の対角線状に対向するコーナー補強金具間に水平面用平筋交いを水平に掛け渡すようにしたものである。この構造によれば、比較的簡単な施工により、大規模地震発生の際の特に横揺れに十分耐えられて、木造建物の倒壊を防止することができる。
【特許文献１】特開２００３−３３６３１７号公報
【発明の開示】
【発明が解決しようとする課題】
【０００３】
本発明は、上記特許文献１に記載の耐震構造に改良を加えたもので、水平面に沿って枠組みされた水平面側骨組の四隅部に夫々取り付けるコーナー補強金具に、壁面側筋交いも取り付け、この壁面側筋交いと水平面側筋交いとによって大規模地震に十分耐え得る耐震構造を簡単に施工できるようにすることを目的とする。
【課題を解決するための手段】
【０００４】
上記課題を解決するための手段を、後述する実施形態の参照符号を付して説明すると、請求項１に係る発明の耐震構造は、前後に配置する胴差し６と左右に配置する胴差し７とが隅部の柱１を挟んで水平面に沿って枠組みされた水平面側骨組Ａの四隅部に夫々コーナー補強金具９を取り付け、この四隅部の対角線状に対向するコーナー補強金具９，９間に水平面側筋交い１０を水平に掛け渡して、各水平面側筋交い１０にターンバックル１１を設けると共に、各コーナー補強金具９には、前記胴差し６，７及び柱１を含む壁面に沿って枠組みされた壁面側骨組Ｂの柱１，１間に掛張される壁面側筋交い１２，１３の一端部を取り付けるようにしてなることを特徴とする。尚、前後の胴差し６と左右の胴差し７によって水平面側骨組Ａを形成するとしているが、胴差し６，７は、梁であってもよいし、桁であってもよい。
【０００５】
請求項２は、請求項１に記載の木造建物の耐震構造において、前記コーナー補強金具９は、前記水平面側骨組Ａの各隅部で互いに直交する胴差し６，７の内側面に当接する直角側板１５と、この直角側板１５の上下両端部に夫々水平に配設される上下一対の三角形補強板１６，１７と、直角側板１５の夫々側板部１５ａ，１５ａの下端から延設した側板延設部１８，１８とからなり、直角側板１５を胴差し６，７にボルト４２止めし、上下何れかの三角形補強板１６，１７に水平面側筋交い１０の一端部をボルト２７止めし、側板延設部１８に壁面側筋交い１２，１３の一端部をボルト３０，３６止めするようにしてなることを特徴とする。
【０００６】
請求項３は、請求項１に記載の木造建物の耐震構造において、前記コーナー補強金具９には上部三角形補強板１６の直角側板１５側端部に、先端部に釘孔２３を有し且つ互いに直交する胴差し６，７の上端面で支持される補強金具仮止め用突片２４を複数個取り付けてなることを特徴とする。
【発明の効果】
【０００７】
上記解決手段による発明の効果を、後述する実施形態の参照符号を付して説明すると、
請求項１に係る発明によれば、前後の胴差し６と左右の胴差し７とが隅部の柱１を挟んで水平面に沿って枠組みされた水平面側骨組Ａの四隅部に夫々コーナー補強金具９を取り付け、この四隅部の対角線状に対向するコーナー補強金具９，９間に水平面側筋交い１０を水平に掛け渡し、各水平面側筋交い１０にターンバックル１１を設けたものであるから、水平面側骨組Ａは、四隅部に夫々取り付けたコーナー補強金具９による補強作用と、これら４つのコーナー補強金具９に対角線状に掛け渡してターンバックル１１で緊張させた１対の水平面側筋交い１０，１０による補強作用との相乗効果によって、きわめて堅固な剛体構造となる。
【０００８】
また、胴差し６，７及び柱１を含む壁面に沿って枠組みされた壁面側骨組Ｂの柱１，１間に壁面側筋交い１２，１３を掛張し、これら壁面側筋交い１２，１３の夫々一端部を前記コーナー補強金具９に取り付けるているから、壁面側骨組Ｂは壁面側筋交い１２，１３により補強されて、水平面側骨組Ａと同様に剛体構造となる。従って、このような水平面側骨組Ａ及び壁面側骨組Ｂによって構成される建物躯体は、例えば震度５以上の大規模地震の発生により地盤が大きく横揺れして躯体に大きな水平荷重がかかっても、損壊したり倒壊する可能性がきわめて少なくなる。
【０００９】
そして、この耐震構造では、壁面側骨組Ｂの柱１，１間に掛張される壁面側筋交い１２，１３の一端部をコーナー補強金具９に取り付けることによって、１個のコーナー補強金具９で水平面側筋交い１０と壁面側筋交い１２，１３が取り付けできるから、耐震構造の部材点数が少なくなり、構造の簡素化を図ることができる。
【００１０】
請求項２に係る発明によれば、コーナー補強金具９は、水平面側骨組Ａの各隅部で互いに直交する胴差し６，７の内側面に当接する直角側板１５と、この直角側板１５の上下両端部に水平に配設された上下一対の三角形補強板１６，１７と、直角側板１５の夫々側板部１５ａ，１５ａの下端から延設した側板延設部１８，１８とからなるもので、直角側板１５を胴差し６，７にボルト４２止めし、上下何れかの三角形補強板１６，１７に水平面側筋交い１０の一端部をボルト２７止めし、側板延設部１８に壁面側筋交い１２，１３の一端部をボルト３０，３６止めするようにしているから、構造的にきわめて頑強で、大きな外力に十分に耐えることができ、しかも水平面側骨組Ａの隅部に対する取付け、水平面側筋交い１０の取付け、及び壁面側筋交い１２，１３の取付けが夫々簡単容易となって、耐震構造の施工能率の向上を図ることができる。
【００１１】
請求項３に係る発明によれば、コーナー補強金具９には、上部三角形補強板１６の直角側板１５側端部に、先端部に釘孔２３を有し且つ互いに直交する胴差し６，７の上端面で支持される補強金具仮止め用突片２４を複数個取り付けているから、コーナー補強金具９を水平面側骨組Ａの四隅部に取り付けるに際に、補強金具仮止め用突片２４を胴差し６，７の夫々上端面に支持させ、各突片２４の釘孔２３より胴差し６，７に釘４１を打ち込んで、コーナー補強金具９を仮止めすることによって、胴差し６，７に対する直角側板１５のボルト４２止め作業を容易にして且つ安全に行うことができる。
【発明を実施するための最良の形態】
【００１２】
以下に本発明の好適な実施形態を図面に基づいて説明すると、図１は本発明に係る耐震構造を有する例えば２階建て木造建物の２階と１階との境界部に形成された水平面側骨組Ａを示す概略平面図、図２は図１に示す木造建物の耐震構造の縦断側面図、図３は同耐震構造の斜視図、図４の(a) はコーナー補強金具９の斜視図、(b) は三角補強金物１４の斜視図であり、図５はコーナー補強金具の取付状態を示す一部断面平面図である。また図６はコーナー補強金具を所定位置に仮止めしようとしている状態を図５の矢印Ｘ方向から見た側面図である。
【００１３】
図１及び図２において、１は柱、２は間柱であり、建物の隅部や中間所要部に配置される柱１は基礎３に土台４を介して支持され、その他の柱１や間柱２は大引き５上に支持される。６及び７は、柱１及び間柱２の夫々中間高さ位置に横架される胴差しで、１階と２階との境界部に配設される。尚、図示は省略するが、柱１及び間柱２の上端部をつなぐ軒桁には梁が横架されると共に、その梁の上に垂木が載設される。これらの柱１、間柱２、土台４、大引き５、胴差し６，７、梁、垂木、その他の部材によって建物の躯体が構成される。
【００１４】
上記した建物躯体の耐震構造について説明すると、この耐震構造は、先ず、図１に示すように、前後に配置される胴差し６，６と左右に配置される胴差し７，７とが柱１を挟んで水平面に沿って枠組みされた水平面側骨組Ａの四隅部には夫々コーナー補強金具９を取り付け、この四隅部の対角線状に対向するコーナー補強金具９，９間に水平面側筋交い１０を水平に掛け渡して、各水平面側筋交い１０にターンバックル１１を設ける。そして、各コーナー補強金具９には、図２に示すように、前記胴差し６，７、柱１及び間柱２を含む壁面に沿って枠組みされた壁面側骨組Ａにおける柱１，１間及び柱１と間柱２との間に掛張される壁面側筋交い１２，１３の一端部を取り付ける。
【００１５】
一端部をコーナー補強金具９に取り付けた壁面側筋交い１２の他端部は、図２に示すように大引き５と柱１との内隅部に取り付けた三角補強金物１４に取り付け、この壁面側筋交い１２にはターンバックル１１を設ける。また、同じく一端部をコーナー補強金具９に取り付けた壁面側筋交い１３の他端部は、図２に示すように間柱２と大引き５との内隅部に取り付ける。
【００１６】
上記耐震構造について更に詳しく説明すると、図３及び図４から分かるように、各コーナー補強金具９は、互いに直交するように突き合わされ、前記水平面側骨組Ａの各隅部で互いに直交する胴差し６，７の内側面６ａ，７ａに当接する直角側板１５と、この直角側板１５の上下両端部をつなぐ上下一対の三角形補強板１６，１７と、直角側板１５の夫々側板部１５ａ，１５ａの下端から下方へ延設した側板延設部１８，１８と、からなるもので、直角側板１５は、２枚の矩形状側板部１５ａ，１５ａを直角に突き合わせて山形にしたものであり、上下各三角形補強板１６，１７は、直角側板１５の内隅部に嵌合するように直角三角形に形成されている。
【００１７】
そして、直角側板１５の各側板部１５ａには、その３箇所にボルト挿通孔１９が設けられ、各三角形補強板１６，１７にはその中央部の１箇所にボルト挿通孔２０が設けられている。また、各側板延設部１８には、壁面側筋交い１２，１３の夫々一端部をボルト止めするためのボルト挿通孔２１，２２が穿設されている。
【００１８】
また図３及び図４に示すように、コーナー補強金具９には上部三角形補強板１６の直角側板１５側端部に、先端部に釘孔２３を有し且つ互いに直交する胴差し６，７の上端面で支持される補強金具仮止め用突片２４が複数個取り付けられている。
【００１９】
しかして、コーナー補強金具９を製作するには、厚肉の鉄板で２枚の矩形状側板１５ａ，１５ａと、２枚の三角形補強板１６，１６と、２枚の側板延設部１８，１８を形成し、２枚の矩形状側板１５ａ，１５ａを互いに直角に突き合わせ溶接することによって直角側板１５を形成し、この直角側板１５の上下両端部に夫々三角形補強板１６，１７を嵌合させて溶接し、また直角側板１５を形成する２枚の矩形状側板１５ａ，１５ａの下端には、例えば図示のような台形状の側板延設部１８，１８を、矩形状側板１５ａと面一状か又は矩形状側板１５ａより板厚分内側へ位置するように溶接すると共に、両側板延設部１８，１８の直角突き合わせ端部を突き合わせ溶接し、更に上部三角形補強板１６の直角側板１５側端部所定位置に補強金具仮止め用突片２４を溶接すればよい。この場合、直角側板１５の各側板部１５ａは、その上下方向の幅が胴差し６，７の上下方向幅より若干広くなるように形成する。
【００２０】
尚、この実施形態では、直角側板１５の側板部１５ａと側板延設部１８とを別個に形成して溶接により一体化しているが、直角側板１５の各側板部１５ａと側板延設部１８とを図６に示すように一枚の鉄板で一体に形成してもよい。
【００２１】
水平面側筋交い１０は、金属製の丸棒材２５と、これの両端部に固着された取付プレート２６，２６と、丸棒材２５の一端部側に介装されたターンバックル１１とからなるもので、各取付プレート２６は、図３〜図５に示すように、コーナー補強金具９の上下三角形補強板１６，１７の何れか一方（ここでは下部三角形補強板１７の下面側）にそのボルト挿通孔２０を介してボルト２７・ナット２８により連結されるようになっている。
【００２２】
壁面側筋交い１２は、図２、図３、図４及び図６から分かるように、金属製帯状板材２９と、この帯状板材２９の一端部側に介装されたターンバックル１１とからなるもので、帯状板材２９の一端部は、コーナー補強金具９の側板延設部１８にそのボルト挿通孔２１を介してボルト３０・ナット３１により連結され、また帯状板材２９の他端部は、柱１と大引き５との内隅部に取り付けられた三角補強金物１４にボルト挿通孔３２（図４の(b)
参照）を介してボルト３３止めされるようになっている。
【００２３】
壁面側筋交い１３は、図２、図３、図４及び図６から分かるように、壁面側筋交い１２の帯状板材２９より幅広の金属製帯状板材３５のみからなるもので、この帯状板材３５の一端部は、コーナー補強金具９の側板延設部１８にそのボルト挿通孔２２を介してボルト３６・ナット３７（図６参照）により連結され、その他端部は、図２に示すように、間柱２と大引き５との隅部に例えば釘止めによって固定される。尚、帯状板材３５の他端部については、例えば間柱２と大引き５との内隅部に三角補強金物１４を取り付けておいて、その三角補強金物１４に帯状板材３５の他端部をボルト止めしてもよい。
【００２４】
三角補強金物１４は、図２、図３及び図４の(b) に示すように、柱１と胴差し６，７との内隅部、あるいは柱１と大引き５との隅部に当接支持される直角板片３８と、この直角板片３８を補強する三角板３９とからなるもので、直角板片３８には柱１や胴差し６，７等にボルト止めするためのボルト挿通孔４０が設けられ、また三角板３９には壁面側筋交い１２の帯状板材２９をボルト止めするためのボルト挿通孔３２が設けられている。
【００２５】
上記のように構成される耐震構造の施工にあたっては、先ず、図１に示すような水平面側骨組Ａの各隅部において互いに直交する胴差し６，７の夫々所定位置にボルト挿通孔３４（図５及び図６参照）を穿設する。そして、各隅部にコーナー補強金具９を嵌め込むと共に、図６に示すように、コーナー補強金具９の上部三角形補強板１６側に設けてある補強金具仮止め用突片２４を胴差し６，７の夫々上端面に支持させ、各突片２４の釘孔２３より胴差し６，７に釘４１を打ち込むことによって、コーナー補強金具９を仮止めする。尚、釘４１は、後から抜き取るため、その一部分だけ打ち込むようにする。
【００２６】
こうしてコーナー補強金具９を水平面側骨組Ａの隅部所定位置に仮止めした後、図６に示すように胴差し６，７のボルト挿通孔３４から、直角側板１５の各側板部１５ａに設けてあるボルト挿通孔１９にボルト４２を挿通して、その突出端部にナット４３を螺合し、締め付けることにより、コーナー補強金具９を水平面側骨組Ａの各隅部に取り付け固定する。その後、前記各突片２４の釘孔２３より打ち込んだ仮止め用の釘４１を抜き取る。
【００２７】
上記のように水平面側骨組Ａの四隅部に夫々コーナー補強金具９を取り付けたならば、これら４つのコーナー補強金具９…の対角線方向に対向するものどうし間に水平面側筋交い１０を水平に掛け渡す。この水平面側筋交い１０の掛け渡しにあたっては、対角線方向に対向して位置する２つのコーナー補強金具９，９の一方のコーナー補強金具９の下部三角形補強板１７の下面側に、水平面側筋交い１０の一端側の取付プレート２６を当て付けて、その三角形補強板１７のボルト挿通孔２０から取付プレート２６のボルト挿通孔にボルト２７を通してナット２８で締め付けることにより、水平面側筋交い１０の一端部を一方のコーナー補強金具９に取り付け、またこの水平面側筋交い１０の他端側の取付プレート２６も同様にして他方のコーナー補強金具９の下部三角形補強板１７にボルト２７・ナット２８で取り付ける。
【００２８】
こうして水平面側骨組Ａの四隅部にある４つのコーナー補強金具９…の対角線方向に対向するものどうし間に夫々水平面側筋交い１０を水平に掛け渡した後、各水平面側筋交い１０のターンバックル１１を回して、丸棒材２５を緊張させる。
【００２９】
次に、図２に示すように、水平面側骨組Ａの胴差し６，７、柱１及び間柱２を含む壁面に沿って枠組み形成されている壁面側骨組Ｂの、前記コーナー補強金具９と対角線状に対向する隅部に三角補強金物１４を取り付け、この三角補強金物１４とコーナー補強金具９とに亘って壁面側筋交い１２を掛け渡す。即ち、三角補強金物１４は柱１と大引き５との内隅部に嵌め込んでボルト止めし、壁面側筋交い１２は、その帯状板材２９の一端部をコーナー補強金具９の側板延設部１８にボルト３０止めし、他端部を三角補強金物１４にボルト３３止めした後、ターンバックル１１を回して帯状板材２９を緊張させる。また、壁面側筋交い１３の一端部をコーナー補強金具９の側板延設部１８にボルト３６止めし、その他端部を間柱２と大引き５との隅部に例えば釘止め等によって取り付ける。
【００３０】
図２は胴差し７の下方側に形成される壁面側骨組Ｂの補強構造を図示しているが、この図２に示す胴差し７の上方側に形成されるの補強構造も、この図２に示す補強構造と同様に構成される。即ち、図２の上部側及び図３に一部示すように胴差し７と柱１との内隅部に三角補強金物１４をボルトで取り付け、この三角補強金物１４と対角線状に位置する壁面側骨組Ｂの隅部に取り付けられているコーナー補強金具９の側板延設部１８と、前記三角補強金物１４との間に壁面側筋交い１２，１３を取り付ければよい。また、胴差し７の下方側に形成されていて前後又は左右に隣り合う各壁面側骨組Ｂの補強構造も上記同様に構成される。
【００３１】
上記のような耐震構造によれば、前後に配置する胴差し６と左右に配置する胴差し７とが隅部の柱１を挟んで水平面に沿って枠組みされた水平面側骨組Ａの四隅部に夫々コーナー補強金具９を取り付け、この四隅部の対角線状に対向するコーナー補強金具９，９間に水平面側筋交い１０を水平に掛け渡して、各水平面側筋交い１０にターンバックル１１を設けたものであるから、水平面側骨組Ａは、四隅部に夫々取り付けたコーナー補強金具１２による補強作用と、これら４つのコーナー補強金具１２に対角線状に掛け渡してターンバックル１４で緊張させた１対の水平面側筋交い１０，１０による補強作用との相乗効果によって、きわめて堅固な剛体構造となる。
【００３２】
また、前記胴差し６，７及び柱１を含む壁面に沿って枠組みされた壁面側骨組Ｂの柱１，１間に壁面側筋交い１２，１３を掛張し、これら壁面側筋交い１２，１３の夫々一端部を前記コーナー補強金具９に取り付けるているから、壁面側骨組Ｂは壁面側筋交い１２，１３により補強されて、水平面側骨組Ｂと同様に剛体構造となる。従って、このような水平面側骨組Ａ及び壁面側骨組Ｂによって構成される建物躯体は、例えば震度５以上の大規模地震の発生により、地盤が横揺れして躯体Ｋに大きな水平荷重がかかっても、損壊したり倒壊する可能性がきわめて少なくなる。
【００３３】
そして、この耐震構造では、壁面側骨組Ｂの柱１，１間に掛張される壁面側筋交い１２，１３の一端部を前記コーナー補強金具９に取り付けることによって、１個のコーナー補強金具９で水平面側筋交い１０と壁面側筋交い１２，１３が取り付けできるから、部材点数が少なくなり、構造の簡素化が図られることになる。
【００３４】
また、この耐震構造に使用するコーナー補強金具９は、水平面側骨組Ａの各隅部で互いに直交する胴差し６，７の内側面に当接する直角側板１５と、この直角側板１５の上下両端部に夫々水平に配設される上下一対の三角形補強板１６，１７と、直角側板１５の夫々側板部１５ａ，１５ａの下端から延設した側板延設部１８，１８とからなるもので、直角側板１５を胴差し６，７にボルト４２止めし、上下何れかの三角形補強板１６，１７に水平面側筋交い１０の一端部をボルト２７止めし、側板延設部１８に壁面側筋交い１２，１３の一端部をボルト３０，３６止めするようにしているから、構造的にきわめて頑強で、大きな外力に十分に耐えることができ、しかも水平面側骨組Ａの隅部に対する取付け、水平面側筋交い１０の取付け、及び壁面側筋交い１２，１３の取付けが夫々簡単容易となって、耐震構造の施工能率の向上を図ることができる。
【００３５】
また、コーナー補強金具９には、上部三角形補強板１６の直角側板１５側端部に、先端部に釘孔２３を有し且つ互いに直交する胴差し６，７の上端面で支持される補強金具仮止め用突片２４を複数個取り付けているから、このコーナー補強金具９を水平面側骨組Ａの四隅部に取り付けるにあたり、補強金具仮止め用突片２４を胴差し６，７の夫々上端面に支持させ、各突片２４の釘孔２３より胴差し６，７に釘４１を打ち込んで、コーナー補強金具９を仮止めすることによって、胴差し６，７に対する直角側板１５のボルト４２止め作業を容易にして且つ安全に行うことができる。
【００３６】
本発明に係る耐震構造は、建物躯体の１階と２階との境界部分に形成される水平面側骨組Ａにのみ施工しても十分な耐震強度が確保されるが、２階の天井部にもこの耐震構造を施し、更に二階の壁面に形成される全ての壁面側骨組Ｂに耐震構造を施すことによって、より一層十分な耐震強度が確保されることになる。
【００３７】
尚、２階の天井部に耐震構造を施す場合、コーナー補強金具９は、水平面側骨組Ａにおける互いに直交する梁と梁との内隅部、あるいは梁と桁との内隅部に取り付けられることになる。
【００３８】
この実施形態では、コーナー補強金具９の側板延設部１８に２本の壁面側筋交い１２，１３を取り付けるようにしているが、何れか１本でもよいし、あるいは２本以上、例えば２本きの壁面側筋交い１２と１本の壁面側筋交い１３を取り付けるようにしてもよい。
【図面の簡単な説明】
【００３９】
【図１】本発明に係る耐震構造を有する例えば２階建て木造建物の２階と１階との境界部に形成された水平面側骨組を示す概略平面図である。
【図２】図１に示す木造建物の耐震構造の縦断側面図である。
【図３】同耐震構造の斜視図である。
【図４】(a) はコーナー補強金具の斜視図、(b) は三角補強金物の斜視図である。
【図５】コーナー補強金具の取付状態を示す一部断面平面図である。
【図６】コーナー補強金具を所定位置に仮止めしようとしている状態を図５の矢印Ｘ方向から見た側面図である。
【符号の説明】
【００４０】
１          柱
２          間柱
６，７      胴差し
９          コーナー補強金具
１０        水平面側筋交い
１２，１３  壁面側筋交い
１４        三角補強金物
１５        直角側板
１５ａ      側板部
１６、１７  三角形補強板
１８        側板延設部
２４        補強金具仮止め用突片
【図１】
2006169836.tif 000003
【図２】
2006169836.tif 000004
【図３】
2006169836.tif 000005
【図４】
2006169836.tif 000006
【図５】
2006169836.tif 000007
【図６】
2006169836.tif 000008